(57)【特許請求の範囲】
【請求項１】
第１の扉板と第１の扉板より厚い第２の扉板とに組み付けることが可能なダイヤル錠ユニットであって、前面にダイヤル操作部を有しそのダイヤル操作部を第１の扉板の前面に臨ませかつ第１の扉板に設けられた取付孔に胴体部分が嵌合した状態で固定することが可能な錠本体と、胴体部分内に前記錠本体の胴体部分の厚さに応じた深さの前面開口の凹部を有しその凹部の前面開口部を第２の扉板の前面に臨ませかつ第２の扉板に設けられた取付孔に胴体部分が嵌合した状態で固定することが可能なハウジングとから成り、前記錠本体は、胴体部分の外周面に、ダイヤル操作部の周縁に沿って周方向へ張り出すフランジ部と、フランジ部の後面と溝間隙を隔てて対向する複数個のバネ板部とが一体形成され、前記溝間隙は第１の扉板の取付孔の孔周縁が係入することが可能な溝幅に形成されており、前記ハウジングは、前記凹部内に錠本体の胴体部分が嵌入可能なように凹部の内面に前記錠本体のバネ板部がはまる凹溝が形成されており、前記錠本体のダイヤル操作部を第２の扉板の前面に臨ませかつ凹部に錠本体の胴体部分が嵌合した状態で固定することが可能に形成されて成るダイヤル錠ユニット。
【請求項２】
第１の扉板は金属製の板材により形成され、第２の扉板は木製の板材により形成されている請求項１に記載されたダイヤル錠ユニット。
【請求項３】
前記ハウジングは、第２の扉板の後面上に重ねられる固定板にネジ止めされる請求項１に記載されたダイヤル錠ユニット。
【請求項４】
請求項１〜３のいずれかに記載されたダイヤル錠ユニットであって、前記ハウジングの胴体部分が嵌挿される開口部を有するとともに開口部の一側に掴み部が一体形成された板状の取っ手部材をさらに備えており、前記取っ手部材はハウジングの外周面に形成されたフランジ部と第２の扉板の前面との間で挟持されて成るダイヤル錠ユニット。
【発明の詳細な説明】
【技術分野】
【０００１】
この発明は、ロッカーやキャビネットなどの扉付きの収納具に組み付けられるダイヤル錠に関し、特にこの発明は、金属製の薄手の扉板にも木製の厚手の扉板にも錠本体を組み付けることが可能なダイヤル錠ユニットに関する。
【背景技術】
【０００２】
ダイヤル錠は、図７に示すように、金属製ロッカーなどの扉板８に形成された取付孔８０に組み付けられる錠本体１と、筐体側の前記錠本体１の近傍位置に取り付けられる受け金具（図示せず）とで構成されている。錠本体１は、前面にダイヤル操作部１１を有し、施錠に際しては、ダイヤル操作部１１の複数個のダイヤル１２を回動操作して解錠符号列を整列させ、解錠状態にした後、摘み１３の操作で掛け金具１４を回動させて受け金具に係合させる。その後、ダイヤル操作などで解錠符号列が崩されると、施錠状態となる。解錠に際しては、ダイヤル１２を回動操作して解錠符号列を整列させ、解錠状態にした後、摘み１３の操作で掛け金具１４を前記と反対方向へ回動させて受け金具との係合を外す（例えば、特許文献１参照）。
【０００３】
錠本体１は、図８に示すように、扉板８の取付孔８０に胴体部１０を嵌合しかつダイヤル操作部１１を扉板８の前面に臨ませた状態で固定されている。胴体部１０内には錠機構が組み込まれており、前面の開口部には前面プレート１５が装着されている。この前面プレート１５上にダイヤル操作部１１を構成する複数個のダイヤル１２と摘み１３とが配設されている。
【０００４】
胴体部１０には、周方向へ張り出すフランジ部１６と、フランジ部１６の後面と溝間隙ｕを隔てて対向する複数個のバネ板部１７とが一体形成されている。錠本体１の胴体部１０を扉板８の前面側より取付孔８０に嵌挿したとき、各バネ板部１７が取付孔８０の孔周縁により押されて圧縮変形し、取付孔８０の孔周縁が前記溝間隙ｕに係入したとき、各バネ板部１７が復元し、錠本体１の胴体部１０が抜け止め状態で扉板８に固定される。
【先行技術文献】
【特許文献】
【０００５】
【特許文献１】特開２０１０−５９７３３号公報
【発明の概要】
【発明が解決しようとする課題】
【０００６】
ロッカーやキャビネットなどの扉付きの収納具には木製のものがあり、その種の収納具にもダイヤル錠を組み付けることが要望されている。しかし、木製の扉板は、金属製の扉板より厚く、金属製の扉板に組み付けられる錠本体をそのまま木製の扉板に組み付けることは困難である。このため、金属製扉用の錠本体とは別に、木製扉用の錠本体を製作する必要があり、製品コストが高くつくうえに、２種類の錠本体を用意する必要があり、在庫管理が煩雑となる。
【０００７】
この発明は、上記の問題に着目してなされたもので、薄手の扉板に適用する錠本体をハウジングに嵌合した状態で厚手の扉板に組み付けることにより、同じ錠本体を厚さが異なる金属製扉にも木製扉にも適用できるダイヤル錠ユニットを提供することを目的とする。
【課題を解決するための手段】
【０００８】
この発明によるダイヤル錠ユニットは、第１の扉板と第１の扉板より厚い第２の扉板とに組み付けることが可能なものであって、前面にダイヤル操作部を有しそのダイヤル操作部を第１の扉板の前面に臨ませかつ第１の扉板に設けられた取付孔に胴体部分が嵌合した状態で固定することが可能な錠本体と、胴体部分内に前記錠本体の胴体部分の厚さに応じた深さの前面開口の凹部を有しその凹部の前面開口部を第２の扉板の前面に臨ませかつ第２の扉板に設けられた取付孔に胴体部分が嵌合した状態で固定することが可能なハウジングとから成るものである。前記錠本体は、胴体部分の外周面に、ダイヤル操作部の周縁に沿って周方向へ張り出すフランジ部と、フランジ部の後面と溝間隙を隔てて対向する複数個のバネ板部とが一体形成され、前記溝間隙は第１の扉板の取付孔の孔周縁が係入することが可能な溝幅に形成されている。前記ハウジングは、前記凹部内に錠本体の胴体部分が嵌入可能なように凹部の内面に前記錠本体のバネ板部がはまる凹溝が形成されており、前記錠本体のダイヤル操作部を第２の扉板の前面に臨ませかつ凹部に錠本体の胴体部分が嵌合した状態で固定することが可能に形成されている。
【０００９】
上記した構成のダイヤル錠ユニットを、例えば、厚手の木製の扉板に組み付けるには、錠本体の胴体部分をハウジングの胴体部分内の凹部に嵌合させた状態で木製の扉板に組み付ける。ハウジングは、凹部の前面開口部を扉板の前面に臨ませかつ扉板に設けられた取付孔に胴体部分を嵌合した状態で固定される。錠本体は、ダイヤル操作部を扉板の前面に臨ませかつハウジングの凹部に胴体部分が嵌合した状態で固定される。一方、薄手の金属製の扉板に錠本体を組み付けるには、ダイヤル操作部を金属製の扉板の前面に臨ませかつ扉板に設けられた取付孔に胴体部分が嵌合した状態で錠本体を固定する。この組み付けに際して、錠本体の胴体部を扉板の前面側より取付孔に嵌挿したとき、各バネ板部が取付孔の孔周縁により押されて圧縮変形し、取付孔の孔周縁が溝間隙に係入したとき各バネ板部が復元し、これにより錠本体の胴体部が抜け止め状態で扉板に固定されるので、錠本体をワンタッチで扉板に取り付け固定できる。
【００１０】
この発明のダイヤル錠ユニットは、典型的には、金属製の板材により形成された第１の扉板と、木製の板材により形成された第２の扉板とのいずれにも適用されるものであるが、これに限らず、同一材料で厚さが異なる扉板にも適用されるものであってもよい。
【００１２】
この発明の好ましい実施態様においては、前記ハウジングは、第２の扉板の後面上に重ねられる固定板にネジ止めされる。この実施態様によれば、第２の扉板にネジ孔などを設けることなく扉板の後面より簡単に抜け止め状態でハウジングを固定できる。なお、ハウジングの固定方法はこれに限られるものではない。
【００１３】
この発明の他のダイヤル錠ユニットは、前記ハウジングの胴体部分が嵌挿される開口部を有するとともに開口部の一側に掴み部が一体形成された板状の取っ手部材をさらに備えており、前記取っ手部材はハウジングの外周面に形成されたフランジ部と第２の扉板の前面との間で挟持されている。このダイヤル錠ユニットによれば、取っ手部材によって扉板の開閉操作が可能となり、扉板の操作性が向上する。また、扉板に錠本体を組み付けるときに併せて取っ手部材を取り付けることができ、作業の無駄がなく、扉板に別途取っ手を取り付ける必要がない。
【発明の効果】
【００１４】
この発明によれば、同じ錠本体を厚さが異なる扉板に組み付けることができるので、例えば、金属製扉用の錠本体とは別に、木製扉用の錠本体を製作する必要がなく、製品コストの低減がはかられる。また、２種類の錠本体を用意する必要がなく、在庫管理も容易である。
【図面の簡単な説明】
【００１５】
【図１】この発明の一実施例であるダイヤル錠ユニットの構成を分解して示す斜視図である。
【図２】木製の扉板への組付状態を示す断面図である。
【図３】錠本体とハウジングとを分解して正面側から示す斜視図である。
【図４】錠本体とハウジングとを分解して背面側から示す斜視図である。
【図５】他の実施例であるダイヤル錠ユニットの構成を分解して示す斜視図である。
【図６】図５の実施例における取っ手部材の構成を示す断面図である。
【図７】錠本体の金属製の扉板への組付状態を分解して示す斜視図である。
【図８】錠本体の金属製の扉板への組付状態を示す断面図である。
【発明を実施するための形態】
【００１６】
図１は、この発明の一実施例であるダイヤル錠ユニットの構成を示すもので、錠本体１とハウジング２と固定板３とを含んでいる。なお、錠本体１の胴体部１０、ハウジング２、および固定板３は合成樹脂成形体である。錠本体１は、図７および図８に示すように、金属製の扉板８に直接組み付けることが可能であり、さらに、図１および図２に示すように、ハウジング２に嵌合させた状態で木製の扉板９に組み付けることが可能である。錠本体１はロッカー、キャビネットなどの扉付き収納具の扉板の側に、錠本体１の掛け金具１４が係脱する受け金具は筐体の側の錠本体１の近傍位置に、それぞれ取り付けられる。
【００１７】
錠本体１は、図３および図４に示すように、直方体をなす中空の胴体部１０内に錠機構が組み込まれるとともに、胴体部１０の前面の開口部に前面プレート１５が装着されたものである。前面プレート１５上にはダイヤル操作部１１を構成する複数個のダイヤル１２と摘み１３とが配設されている。胴体部１０の後面には摘み１３と一体に回動するネジ軸１８が突出し、このネジ軸１８に前記掛け金具１４がナット１９により取り付けられる。
【００１８】
胴体部１０の外周面には、前面の開口部の周縁に沿って周方向へ均一幅だけ張り出すフランジ部１６が一体形成されている。胴体部１０は縦横の各長さａ，ｂが金属製の扉板８に形成された矩形状の取付孔８０の縦横の各長さＸ１，Ｙ１とほぼ一致する。フランジ部１６は縦横の各長さｃ，ｄが取付孔８０の縦横の各長さＸ１，Ｙ１より大きく設定され、フランジ部１６の後面が取付孔８０の孔周縁に当接する。
【００１９】
胴体部１０の両側面の２箇所の対応する位置には、フランジ部１６の後面と溝間隙ｕを隔てて対向するバネ板部１７がそれぞれ一体形成されている。各バネ板部１７は後端部が胴体部１０と一体に繋がり、先端部が解放されている。バネ板部１７と胴体部１０との間にはバネ板部１７が圧縮変形するための隙間ｓが介在する。
【００２０】
各バネ板部１７の先端部はフランジ部１６の後面と溝間隙ｕを隔てて対向している。溝間隙ｕは扉板８の取付孔８０の孔周縁が係入可能な溝幅に設定されている。錠本体１の胴体部１０を扉板８の前面側より取付孔８０に嵌挿すると、各バネ板部１７が取付孔８０の孔周縁により押されて圧縮変形し、取付孔８０の孔周縁が前記溝間隙ｕに係入したとき、各バネ板部１７の復元により錠本体１は抜止め状態となる。この状態では、錠本体１の胴体部１０は扉板８の取付孔８０に嵌合しており、扉板８の前面にダイヤル操作部１１が臨み、ダイヤル操作と摘み操作とが可能である。
【００２１】
ハウジング２は、その胴体部２０が扉板９とほぼ同じ厚さに設定されている。胴体部２０内は、錠本体１の胴体部１０の厚さに応じた深さの前面開口の凹部２１になっている。この凹部２１の内面の２箇所の対向する各位置には錠本体１の胴体部１０の各バネ板部１７がはまる凹溝２２がそれぞれ形成されており、これにより凹部２１内に錠本体１の胴体部１０が嵌入可能となっている。凹部２１の前面の開口部には、それぞれ対向する位置に、錠本体１の胴体部１０のフランジ部１６を支える支持面２３，２４が形成されている。ハウジング２の前面の開口周縁には周方向へ均一幅だけ張り出すフランジ部２５が形成されている。ハウジング２の胴体部２０は縦横の各長さｅ，ｆが木製の扉板９に形成されたほぼ矩形状の取付孔９０の縦横の各長さＸ２，Ｙ２とほぼ一致する。フランジ部２５は縦横の各長さｇ，ｈが取付孔９０の縦横の各長さＸ２，Ｙ２より大きく設定され、フランジ部２５の後面が取付孔９０の孔周縁に当接する。
【００２２】
ハウジング２は、凹部２１の前面の開口部を扉板９の前面に臨ませかつ扉板９の取付孔９０に胴体部２０が嵌合した状態で支持される。錠本体１はダイヤル操作部１１を扉板９の前面に臨ませかつ凹部２１に錠本体１の胴体部１０が嵌合した状態で支持される。
ハウジング２の胴体部２０の後面は開口しており、その開口部の四隅位置であって、錠本体１の胴体部１０の後面の四隅に設けられたネジ孔４１に対応する位置に、錠本体１をハウジング２にネジ４により止着するためのネジ通し孔４２を有するネジ支え部４３が形成されている。各ネジ通し孔４２には錠本体１をハウジング２に止着するためのネジ４がそれぞれ通され、各ネジ４のネジ頭部がネジ支え部４３に当たって支えられる。
【００２３】
扉板９の取付孔９０にハウジング２が嵌合したとき、取付孔９０の後面開口部にハウジング２の胴体部２０の後面が臨み、その胴体部２０の後面に固定板３をネジ止めすることによりハウジング２が抜け止め状態で固定される。固定板３は縦横の各長さはｉ，ｊが、取付孔９０の縦横の各長さＸ２，Ｙ２より大きく設定され、固定板３の外周部の後面が取付孔９０の孔周縁に当接する。
【００２４】
固定板３は中央部が開口し、外周の四隅の位置にネジ通し孔５２を有するネジ支え部５３が形成されている。前記ハウジング２の胴体部２０には、後面の外周部の四隅の位置に、ネジ孔５１が開設された筒状部５４が形成されており、固定板３の各ネジ通し孔５２にネジ５を通してハウジング２の対応するネジ孔５１にネジ込むことによりハウジング２に固定板３が固定される。
【００２５】
図５は、この発明の他の実施例を示しており、錠本体１、ハウジング２、および固定板３に加えて、板状の取っ手部材６を含んでいる。取っ手部材６は、合成樹脂成形体であり、図５および図６に示すように、ハウジング２の胴体部２０が嵌挿される開口部６０を有するとともに、開口部６０の一側に彎曲形状の掴み部６１が一体形成されている。この取っ手部材６はハウジング２の前記フランジ部２５と扉板９の前面との間で挟持される。
【００２６】
上記した構成のダイヤル錠ユニットを、木製の扉板９に組み付けるには、錠本体１を嵌合させたハウジング２の胴体部２０を扉板９の取付孔９０に扉板９の前面側より嵌挿し、扉板９の後面側に固定板３を重ねてハウジング２との間をネジ止めする。これによりハウジング２は、扉板９の取付孔９０に胴体部２０が嵌合した状態で固定される。錠本体１は、ハウジング２の凹部２１に胴体部２０を嵌合させた状態で固定されている。この固定状態では、扉板９の前面にダイヤル操作部１１が臨み、ダイヤル操作と摘み操作とが可能である。
【００２７】
金属製の扉板８に錠本体１を取り付けるには、錠本体１の胴体部１０を扉板８の前面側より取付孔８０に嵌挿する。胴体部１０の各バネ板部１７は取付孔８０の孔周縁により押されて圧縮変形し、取付孔８０の孔周縁が溝間隙ｕに係入したとき各バネ板部１７が復元し、これにより錠本体１の胴体部１０が抜け止め状態で扉板８に固定される。
【符号の説明】
【００２８】
１    錠本体
２    ハウジング
３    固定板
６    取っ手部材
８，９    扉板
１０  胴体部
１１  ダイヤル操作部
１６  フランジ部
２０  胴体部
２１  凹部
２５  フランジ部
８０，９０    取付孔
【図１】
0005444281.tif 000002
【図２】
0005444281.tif 000003
【図３】
0005444281.tif 000004
【図４】
0005444281.tif 000005
【図５】
0005444281.tif 000006
【図６】
0005444281.tif 000007
【図７】
0005444281.tif 000008
【図８】
0005444281.tif 000009